(57)【要約】【課題】連結バンドにおいて、組み立て後に研磨等の機械加工を行わず、かつ、駒にねじ穴を新たに設けることなく、外観品質を向上させる。【解決手段】連結バンド１００は、連結バンド１００の幅方向Ｗに延びた連結孔２１ｂ，２２ｂ，２１ｃ，２２ｃ，３０ｂ，３０ｃが形成された複数の駒体１０と、複数の駒体１０の連結孔２１ｂ，２２ｂ，３０ｂに共通して通された連結ピン４０と、複数の駒体１０のうち幅方向Ｗの両端に配置された外駒２１，２２の、幅方向Ｗの外側に設けられた、外駒２１，２２の幅方向Ｗの外側の面２１ａ，２２ａの全部を覆う覆い板５１ａ，５２ａ、外駒２１の連結孔２１ｂ，２１ｃに嵌め合わされた突起５１ｄ，５１ｅを有する端面キャップ５１及び外駒２２の連結孔２２ｂ，２２ｃに嵌め合わされた突起５２ｄ，５２ｅを有する端面キャップ５２と、を備える。【選択図】図２
2020120787.tif 000002
【特許請求の範囲】
【請求項１】
連結バンドの幅方向に延びた連結孔が形成された複数の駒体と、
前記複数の駒体の前記連結孔に共通して通された連結ピンと、
前記複数の駒体のうち前記幅方向の両端に配置された外駒の、前記幅方向の外側に設けられた、前記外駒の前記幅方向の外側の端面の少なくとも一部を覆う覆い部、及び前記外駒の前記連結孔に通された突起を有する端面キャップと、を備えた連結バンド。
【請求項２】
前記突起は前記連結孔に圧入されて、前記端面キャップを前記駒体に保持させている請求項１に記載の連結バンド。
【請求項３】
前記突起は前記連結孔に通された状態で前記駒体と固相接合されている請求項１又は２に記載の連結バンド。
【請求項４】
前記端面キャップは前記突起を２つ以上備え、２つ以上の前記突起がそれぞれ、対応する前記連結孔に通されている請求項１から３のうちいずれか１項に記載の連結バンド。
【請求項５】
前記覆い部は、前記外駒の前記端面と同じ断面輪郭形状で形成されている請求項１から４のうちいずれか１項に記載の連結バンド。
【請求項６】
前記複数の駒体は、前記幅方向の寸法が同一に形成され、前記複数の駒体にそれぞれ設けられた前記端面キャップのうち、少なくとも一部の前記駒体に取り付けられた前記端面キャップは、前記幅方向の寸法が他の前記端面キャップと異なって形成されている請求項１から５のうちいずれか１項に記載の連結バンド。
【発明の詳細な説明】
【技術分野】
【０００１】
本発明は、連結バンドに関する。
【背景技術】
【０００２】
腕時計を腕に装着するためのバンドとして、複数の駒体を長手方向に連結した連結バンドがある。このような連結バンドは、長手方向に隣接する２つの駒体にそれぞれ形成された、駒体の幅方向に延びた連結孔に、共通の連結ピンを通すことで連結されている。
【０００３】
ここで、駒体の幅方向の両端に配置された外駒の端面（連結バンドの側面）には、連結孔が露出しているため、外観品質（見栄え）を向上することが求められている。
【０００４】
そこで、連結孔に連結ピンを圧入した後に、外駒の端面を連結ピンごと研磨し、その後さらにヘアライン加工を施したり、メッキを施したりして、連結孔と連結ピンとの境界を目立たなくすることが行なわれている。
【０００５】
また、駒体の幅方向の両外側に、外駒の端面を覆うカバーを取り付けた連結バンドも知られている（例えば、特許文献１参照）。この連結バンドのカバーは、駒体の連結孔に緩く通された連結ピンの脱落を阻止する目的で、連結ピンが緩く挿入された連結孔の両端を塞ぐ位置に配置され、カバーは、ねじによって外駒の端面に締結されている。
【先行技術文献】
【特許文献】
【０００６】
【特許文献１】特開２００４−１４１６０８号公報
【発明の概要】
【発明が解決しようとする課題】
【０００７】
しかし、連結バンドとして駒体を連結した後に研磨等の機械加工等を行った場合、その機械加工等によって生じた研磨粉等が連結孔と連結ピンとの間の微小な隙間に侵入し、その後に洗浄しても、限られた製造のサイクルタイム内で研磨粉等を完全に除去するのは困難である。
【０００８】
また、外駒の外側をカバーで覆うものは、連結バンドとして組み立て後に機械加工を行う必要が無いため、上述した研磨粉等の残留の問題は無いが、カバーを外駒に固定するためのねじ穴を、駒に新たに形成する必要があるとともに、ねじを締め付けてカバーを固定するための締結作業の工数がかかるという問題がある。また、固定用のねじがカバーの外面に現れ、外観品質面で難がある。
【０００９】
なお、連結孔には、駒体同士を連結する連結ピンが通される孔だけでなく、駒体が複数の駒を連結ピンで連結したものであるとき、すなわち、幅方向の両端に配置された２つの外駒と、両外駒の間に配置された１つ以上の中駒とが連結ピンで連結されて構成されているときの、外駒と中駒とを連結する連結ピンが通される孔も含まれる。
【００１０】
本発明は上記事情に鑑みなされたものであって、連結バンドとして組み立て後に研磨等の機械加工を行わず、かつ、駒にねじ穴を新たに設けることなく、外観品質を向上させることができる連結バンドを提供することを目的とする。
【課題を解決するための手段】
【００１１】
本発明は、連結バンドの幅方向に延びた連結孔が形成された複数の駒体と、前記複数の駒体の前記連結孔に共通して通された連結ピンと、前記複数の駒体のうち前記幅方向の両端に配置された外駒の、前記幅方向の外側に設けられた、前記外駒の前記幅方向の外側の端面の少なくとも一部を覆う覆い部、及び前記外駒の前記連結孔に通された突起を有する端面キャップと、を備えた連結バンドである。
【発明の効果】
【００１２】
本発明に係る連結バンドによれば、連結バンドとして組み立て後に研磨等の機械加工を行わず、かつ、駒にねじ穴を新たに設けることなく、外観品質を向上させることができる。
【図面の簡単な説明】
【００１３】
【図１】本発明に係る連結バンドの一例である腕時計用の連結バンドをおもて面側から見た平面図である。
【図２】図１に示した連結バンドの構成単位である駒体及び端面キャップを分解して示した分解斜視図である。
【図３】図２における２本の連結孔を含む面による断面を示す断面図である。
【図４】端面キャップに形成された突起の変形例を示す、外駒の外側の面での断面を示す断面図である。
【図５】外駒の連結孔に、連結孔の内径よりも大きな径の溝を形成し、この溝にＯリングをそれぞれ配置した構成の、図３相当の断面図である。
【図６】外駒が、図５に示したＯリングに代えて弾性材料で形成された保持部材を有するものとした変形例を示す分解斜視図である。
【図７】２つの保持部材片に分割される保持部材を有する外駒に端面キャップを保持させる構成を示す分解斜視図である。
【発明を実施するための形態】
【００１４】
以下、本発明に係る連結バンドの実施形態について、図面を用いて説明する。
【００１５】
＜構成＞
図１は本発明に係る連結バンドの一例である腕時計用の連結バンド１００をおもて面側から見た平面図、図２は図１に示した連結バンド１００の構成単位である駒体１０及び端面キャップ５１，５２を分解して示した分解斜視図である。
【００１６】
なお、図１においては、連結バンドの１００の構成単位である１つの駒体１０及びひと組の端面キャップ５１，５２を実線で示し、他の駒体１０及び端面キャップ５１，５２を二点鎖線で示しているが、これは、理解の容易化のためである。また、図３は図２における２本の連結孔２２ｂ，２２ｃを含む面による断面を示す断面図である。
【００１７】
図示の連結バンド１００は、複数の駒体１０が、連結バンドの長さ方向Ｌに沿って配置されている。連結バンド１００の構成単位である駒体１０は、図２に示すように、連結バンド１００の幅方向Ｗ（長さ方向Ｌに直交する方向）の両端に配置される２つの外駒２１，２２と、両外駒２１，２２の間に配置される１つの中駒３０とが、連結ピン４０で連結されて一体に構成されている。
【００１８】
２つの外駒２１，２２の間にはブリッジ部２３が配置されていて、２つの外駒２１，２２はブリッジ部２３を介してＨ字状に一体に繋がっている。ブリッジ部２３の幅は、中駒３０の幅よりも僅かに広く形成されている。このように、両端の２つの外駒２１，２２がブリッジ部２３によって一体に構成されたものを、以下、単に外駒２０ということがある。
【００１９】
外駒２１には、長さ方向Ｌの両端近くにそれぞれ、幅方向Ｗに延びて貫通した連結孔２１ｂ，２１ｃが形成されている。ブリッジ部２３は、両連結孔２１ｂ，２１ｃの間で、外駒２１に繋がっている。
【００２０】
外駒２２にも、長さ方向Ｌの両端近くにそれぞれ、幅方向Ｗに延びて貫通した連結孔２２ｂ，２２ｃが形成されている。ブリッジ部２３は、両連結孔２２ｂ，２２ｃの間で、外駒２２に繋がっている。
【００２１】
ブリッジ部２３によって一体化されている状態の外駒２０は、連結孔２１ｂと連結孔２２ｂとが一直線上に配置され、連結孔２１ｃと連結孔２２ｃとが一直線上に配置されている。
【００２２】
中駒３０は、長さ方向Ｌの一方の端部近くに、幅方向Ｗに延びた溝３０ａが形成されている。また、中駒３０には、長さ方向Ｌの他方の端部近くと、長さ方向Ｌの中間近く（溝３０ａよりも他方の端部側）にそれぞれ、幅方向Ｗに延びて貫通した連結孔３０ｂ，３０ｃが形成されている。
【００２３】
そして、図３に示すように、溝３０ａには、外駒２０のブリッジ部２３が嵌め合わされ、この嵌め合わされた状態で、連結孔２１ｃ，２２ｃと連結孔３０ｃとが一直線上に配置される。一直線上に配置された連結孔２１ｃ，３０ｃ，２２ｃに対して、共通する１本の連結ピン４０が緩く通されて、外駒２０と中駒３０とが一体となった駒体１０が構成される。
【００２４】
なお、連結ピン４０は、中駒３０の幅よりも長く、かつ外駒２０の幅よりも短い長さに形成されている。したがって、図３に示すように、連結ピン４０が外駒２０と中駒３０とを連結した状態では、連結ピン４０の両端は、外駒２１，２２の幅方向Ｗの外側の面（外駒２０の両端面）２１ａ，２２ａに達しない。
【００２５】
また、駒体１０を構成している外駒２０と中駒３０とは、連結ピン４０とブリッジ部２３との２か所で係合しているため、相対的な回転はしない。
【００２６】
図３に示した状態で、中駒３０の連結孔３０ｂは、長さ方向Ｌに連結される他の駒体１０の外駒２１の連結孔２１ｂ及び外駒２２の連結孔２２ｂと一直線上に配置され、これら一直線上に配置された連結孔２１ｂ，３０ｂ，２２ｂに対して、別の共通する１本の連結ピン４０が緩く通されることで、駒体１０同士が連結される。
【００２７】
このとき、駒体１０同士は、１本の連結ピン４０のみで係合しているため、連結ピン４０回りに相対的に回転可能となり、連結バンド１００は、使用者の手首の太さに応じて屈曲される。
【００２８】
また、本実施形態の連結バンド１００は、外駒２０の、幅方向Ｗの外側にそれぞれ、端面キャップ５１，５２を備えている。端面キャップ５１は、覆い板５１ａと突起５１ｄ，５１ｅとを有する。
【００２９】
覆い板５１ａは、外駒２１の幅方向Ｗの外側の面２１ａと同じ断面輪郭形状（幅方向に直交する断面の外周縁の輪郭形状）で形成されており、覆い部の一例である。覆い板５１ａの幅方向Ｗの外側の面５１ｃは、凹凸の無い平坦な面で形成されている。一方、覆い板５１ａの、外駒２１の外側の面２１ａに対向した内側の面５１ｂも平坦な面であるが、幅方向Ｗに延びた突起５１ｄ，５１ｅが形成されている。
【００３０】
なお、覆い板５１ａは、外駒２１の外側の面２１ａの全部を覆うものでなくてもよく、面２１ａの少なくとも一部（連結孔２１ｂ，２１ｃを含む範囲）を覆う形状であればよい。
【００３１】
突起５１ｄ，５１ｅは、覆い板５１ａが、外駒２１の外側の面２１ａの全面を過不足なく覆った配置のとき、外駒２１の連結孔２１ｂ，２１ｃにそれぞれ対応する位置に形成されている。
【００３２】
突起５１ｄ，５１ｅは、連結孔２１ｂ，２１ｃに対して締まり嵌めとなる外径で形成されているため、連結孔２１ｂ，２１ｃにそれぞれ圧入される。
【００３３】
端面キャップ５２も端面キャップ５１と同様の構成であり、覆い板５２ａと突起５２ｄ，５２ｅとを有する。
【００３４】
覆い板５２ａは、外駒２２の幅方向Ｗの外側の面２２ａと同じ輪郭形状で形成されている。覆い板５２ａの幅方向Ｗの外側の面５２ｃ及び外駒２２の外側の面２２ａに対向した内側の面５２ｂは凹凸の無い平坦な面であるが、内側の面５２ｂからは、幅方向Ｗに延びた突起５２ｄ，５２ｅが形成されている。
【００３５】
覆い板５２ａは、外駒２２の外側の面２２ａの全部を覆うものでなくてもよく、面２２ａの少なくとも一部（連結孔２２ｂ，２２ｃを含む範囲）を覆う形状であればよい。
【００３６】
突起５２ｄ，５２ｅは、覆い板５２ａが、外駒２２の外側の面２２ａの全面を過不足なく覆った配置のとき、外駒２２の連結孔２２ｂ，２２ｃにそれぞれ対応する位置に形成されている。
【００３７】
突起５２ｄ，５２ｅは、連結孔２２ｂ，２２ｃに対して締まり嵌めとなる外径で形成されているため、連結孔２２ｂ，２２ｃにそれぞれ圧入される。
【００３８】
なお、図３に示すように、突起５１ｄ，５１ｅが連結孔２１ｂ，２１ｃにそれぞれ圧入されて、覆い板５１ａの内側の面５１ｂが外駒２１の外側の面２１ａに略密着し、突起５２ｄ，５２ｅが連結孔２２ｂ，２２ｃにそれぞれ圧入されて、覆い板５２ａの内側の面５２ｂが外駒２２の外側の面２２ａに略密着した状態で保持された組み立て状態となる。
【００３９】
そして、この組み立て状態では、連結孔２１ｂ，３０ｂ，２２ｂに通された連結ピン４０及び連結孔２１ｃ，３０ｃ，２２ｃに通された連結ピン４０は、幅方向Ｗのいずれか一方の側に偏っても、２つの外駒２１，２２から抜けることが無いように、連結ピン４０の長さ及び突起５１ｄ，５２ｄ，５１ｅ，５２ｅの長さが設定されている。
【００４０】
＜作用＞
以上のように構成された本実施形態の連結バンド１００は、外駒２１，２２の外側の面２１ａ，２２ａまで貫通した連結孔２１ｂ，２１ｃ，２２ｂ，２２ｃが、外駒２１，２２を外側から覆う端面キャップ５１，５２によって覆われる。これにより、連結バンド１００は、連結孔２１ｂ，２１ｃ，２２ｂ，２２ｃが外部に露出することが無い。したがって、連結バンド１００は、外観品質を向上させることができる。
【００４１】
しかも、連結バンド１００は、外部に露出するのは、端面キャップ５１，５２の外側の面５１ｃ，５２ｃであり、この面５１ｃ，５２ｃには、駒体１０に結合するための構造（突起５１ｄ，５１ｅ，５２ｄ，５２ｅ）が現れない。したがって、外面に、駒体に結合するための構造であるねじが現れる、先行技術のカバーと比べて外観品質を向上させることができる。
【００４２】
また、この面５１ｃ，５２ｃは凹凸の無い平坦な面であるため、連結バンド１００はすっきりした印象を与え、高級感を醸し出すことができる。なお、この面５１ｃ，５２ｃは平面に限らず凹凸があってもよいし、また、駒体１０に結合するための構造が現れてもよいが、そのような構造が現れないことが好ましい。
【００４３】
また、連結バンド１００は、連結バンド１００として組み立て後に研磨等の機械加工を行う必要がないため、連結バンド１００として組み立て後に、洗浄等を行わなくても研磨粉等が残留することもない。
【００４４】
さらに、連結バンド１００は、端面キャップ５１，５２に形成された突起５１ｄ，５１ｅ，５２ｄ，５２ｅを、既存の連結孔２１ｂ，２１ｃ，２２ｂ，２２ｃに圧入することで、端面キャップ５１，５２を駒体１０に保持することができるため、駒体１０に端面キャップ５１，５２をねじ止めするためのねじ穴を形成したり、ねじ止めする締結作業を行ったりする必要が無く、製造コストを低減することができる。
【００４５】
なお、端面キャップ５１，５２の突起５１ｄ，５１ｅ，５２ｄ，５２ｅと外駒２１，２２とが金属である場合は、突起５１ｄ，５１ｅ，５２ｄ，５２ｅを連結孔２１ｂ，２１ｃ，２２ｂ，２２ｃに圧入して、端面キャップ５１，５２を駒体１０に保持させるのに代えて、突起５１ｄ，５１ｅ，５２ｄ，５２ｅを連結孔２１ｂ，２１ｃ，２２ｂ，２２ｃに通した状態で、突起５１ｄ，５１ｅ，５２ｄ，５２ｅと外駒２１，２２とを固相接合により固定して、端面キャップ５１，５２を駒体１０に保持させてもよい。
【００４６】
また、突起５１ｄ，５１ｅ，５２ｄ，５２ｅを連結孔２１ｂ，２１ｃ，２２ｂ，２２ｃに圧入するとともに固相接合することで、端面キャップ５１，５２を駒体１０に、より強固に保持させてもよい。
【００４７】
また、連結バンド１００は、端面キャップ５１，５２によって、連結孔２１ｂ，２２ｂの両端及び連結孔２１ｃ，２２ｃの両端が塞がれているため、連結ピン４０が連結孔２１ｂ，２２ｂ，２１ｃ，２２ｃに対して緩く形成されていても、連結ピン４０が連結孔２１ｂ，２２ｂ，２１ｃ，２２ｃから脱落することが無い。
【００４８】
したがって、連結ピン４０を、従来のようなＣリング等を用いた圧入で、連結孔２１ｂ，２２ｂ，２１ｃ，２２ｃに固定しなくても、連結ピン４０が連結孔２１ｂ，２２ｂ，２１ｃ，２２ｃから脱落することが無い。これにより、連結ピン４０を連結孔２１ｂ，２２ｂ，２１ｃ，２２ｃに配置する作業を自動化し易い。
【００４９】
なお、連結ピン４０を圧入する際は、圧入時の摩擦抵抗を低減するために潤滑剤を用いるが、本実施形態の連結バンド１００は、連結ピン４０を圧入しないため、潤滑剤を用いる必要もない。ただし、本発明に係る連結バンドは、連結孔に連結ピンを圧入したものであってもよい。
【００５０】
また、連結バンド１００は、端面キャップ５１，５２を駒体１０と同一色、同一材料で形成してもよいし、端面キャップ５１，５２を駒体１０は別の色に形成したり、別の材料で形成したりしてもよい。
【００５１】
端面キャップ５１，５２と駒体１０とを同一色で形成したものは、連結バンド１００の全体を単一色ですっきりとした印象を与え、端面キャップ５１，５２と駒体１０とを別の色で形成したものは、装飾的な印象を与えることができる。
【００５２】
また、端面キャップ５１，５２を駒体１０と同一材料（例えばチタン等）で形成したものは、連結バンド１００の全体にすっきりとした印象を与え、端面キャップ５１，５２と駒体１０とを別の材料で形成したものは、質感の差で、装飾的な印象を与えることができる。
【００５３】
なお、一般的に連結バンドは、時計のケースに形成されたラグ（連結バンドをケースに取り付ける爪状の部分）に近い部分で、幅方向Ｗの寸法を大きくしたり小さくしたりすることが行なわれている。この場合、駒体の両外駒の幅を徐々に大きく形状にしたり、徐々に小さくしたりして対応しているのが一般的である。
【００５４】
これに対して、連結バンド１００は、複数の駒体１０自体は、ラグに近い部分も含めて一定の幅（同一の幅）で形成し、端面キャップ５１，５２の幅を徐々に大きく形成したり、徐々に小さくしたりすることで対応することができる。つまり、一部の駒体１０に取り付けられた端面キャップ５１，５２は、幅方向Ｗの寸法が他の端面キャップ５１，５２と異なって形成されている。したがって、１つの連結バンド１００を形成するために、幅の異なる複数の駒体１０を製造する必要が無い。
【００５５】
この場合、幅の異なる複数の端面キャップ５１，５２を製造する必要はあるが、幅の異なる複数の駒体１０を製造するのに比べて、低コストで製造することができる。
【００５６】
しかも、幅の異なる駒体１０を製造する場合は、駒体１０の幅方向の両側を対称的に形成する必要があるが、精度よく対称的に形成する作業は非常に難しい作業となっている。
【００５７】
これに対して、端面キャップ５１と端面キャップ５２とは別体の部品であるから、単一部品で左右対称に形成するよりも成形が容易である。
【００５８】
図４は、端面キャップ５２（５１）に形成された突起５２ｄ（５１ｄ），５２ｅ（５１ｅ）の変形例を示す、外駒２２（２１）の外側の面２２ａ（２１ａ）での断面を示す断面図である。
【００５９】
本実施形態の連結バンド１００は、端面キャップ５２（５１）の２つの突起５２ｄ，５２ｅ（５１ｄ，５１ｅ）がいずれも、連結孔２２ｂ，２２ｃ（２１ｂ，２１ｃ）に圧入される形状に形成されていたが、本発明に係る連結バンドは、この形態に限定されるものではない。
【００６０】
すなわち、例えば図４に示すように、端面キャップ５２（５１）の２つの突起５２ｄ，５２ｅ（５１ｄ，５１ｅ）のうち、一方の突起５２ｄ（５１ｄ）のみが連結孔２２ｂ（２１ｂ）に圧入される形状に形成され、他方の突起５２ｅ（５１ｅ）は連結孔２２ｃ（２１ｃ）に対して締め代のない中間ばめとなる形状であってもよい。
【００６１】
要するに、他方の突起５２ｅ（５１ｅ）は、駒体１０に対する端面キャップ５２（５１）の姿勢を維持する（回り止めとなる）程度の嵌め合い形状であればよく、図４に示した、断面が略矩形の形状でなくてもよい。
【００６２】
このように、２つの突起５２ｄ，５２ｅ（５１ｄ，５１ｅ）を共に圧入する形状とするのではなく、一方の突起５２ｄ（５１ｄ）のみを圧入する形状とし、他方の突起５２ｅ（５１ｅ）を圧入しない形状とすることにより、端面キャップ５２（５１）を駒体１０に固定する作業を容易にすることができる。
【００６３】
一方、２つの突起５２ｄ，５２ｅ（５１ｄ，５１ｅ）を共に圧入する形状としたものでは、一方の突起５２ｄ（５１ｄ）又は突起５２ｅ（５１ｅ）のみを圧入した形状としたものよりも、端面キャップ５２（５１）の駒体１０への保持力を大きくすることができる。
【００６４】
上述した連結バンド１００は、端面キャップ５１，５２の突起５１ｄ，５１ｅ，５２ｄ，５２ｅを外駒２１，２２の連結孔２１ｂ，２１ｃ，２２ｂ，２２ｃに圧入することにより、端面キャップ５１，５２を外駒２１，２２に保持させるが、端面キャップ５１，５２は外駒２１，２２から使用者が手動で取り外せないことが好ましい。
【００６５】
しかし、本発明に係る連結バンドは、一部の端面キャップについては、手動で駒体から取り外し可能に固定するものとしてもよい。すなわち、連結バンドは、使用者の手首の長さに応じて長さ調整を行うことが求められており、そのような要望を実現する構造として、連結する駒体の数を調整するのが一般的である。
【００６６】
そこで、一部の駒体については、専門業者に頼ることなく時計を使用する使用者自身で連結及び連結の解除をできるようにしてもよい。具体的には、連結バンド１００を構成する複数の駒体１０のうち、一部の駒体１０については、端面キャップ５１，５２を駒体１０に着脱可能に構成する。
【００６７】
これにより、使用者自身が駒体１０から端面キャップ５１，５２を取り外して、その駒体１０を連結バンド１００から取り外し又は新たに駒体１０を追加して連結し、その後に端面キャップ５１，５２を取り付けて駒体１０に保持させることで、連結バンド１００を構成する駒体１０の数を増減して長さの調整を行うことができる。
【００６８】
図５は端面キャップ５１，５２を駒体１０（外駒２１，２２）に対して着脱可能としつつ、端面キャップ５１，５２を駒体１０に保持させる構成の一例として、駒体１０の外駒２１，２２の連結孔２１ｂ，２１ｃ，２２ｂ，２２ｃに、連結孔２１ｂ，２１ｃ，２２ｂ，２２ｃの内径よりも大きな径の溝を形成し、この溝にＯリング２６をそれぞれ配置した構成の、図３相当の断面図である。
【００６９】
図５に示した連結バンドにおけるＯリング２６の内径は、連結孔２１ｂ，２１ｃ，２２ｂ，２２ｃの内径よりも小さく形成されていて、端面キャップ５１，５２の突起５１ｄ，５１ｅ，５２ｄ，５２ｅの外径を、連結孔２１ｂ，２１ｃ，２２ｂ，２２ｃの内径よりも小さく、かつＯリング２６の内径よりも大きく形成する。
【００７０】
これにより、突起５１ｄ，５１ｅ，５２ｄ，５２ｅは、連結孔２１ｂ，２１ｃ，２２ｂ，２２ｃに対して緩く挿入されるが、Ｏリング２６を通過した状態では、Ｏリング２６の弾性変形によって摩擦抵抗が生じ、端面キャップ５１，５２を駒体１０に取り付けられた状態に保持させることができる。
【００７１】
一方、外駒２１，２２に取り付けられた状態で保持された端面キャップ５１，５２を、手指等で掴んで外駒２１，２２から引き抜く力を作用させると、突起５１ｄ，５１ｅ，５２ｄ，５２ｅはＯリング２６の弾性変形による摩擦抵抗を受けるが、摩擦抵抗よりも大きな力を作用させることで、外駒２１，２２から取り外すことができる。
【００７２】
図６は、外駒２２，２１が、図５に示したＯリング２６に代えて弾性材料で形成された保持部材２５，２４を有するものとした変形例を示す分解斜視図である。図示の外駒２２，２１は、端面キャップ５２，５１に向いた面に凹部２２ｄ，２１ｄが形成され、この凹部２２ｄ，２１ｄに、保持部材２５，２４が配置されている。
【００７３】
保持部材２５，２４は、シリコーン等の弾性材料により、凹部２２ｄ，２１ｄよりも僅かに大きいサイズで形成されていて、凹部２２ｄ，２１ｄに嵌め込まれて、外駒２２，２１に保持されている。
【００７４】
保持部材２５，２４は、端面キャップ５２，５１の突起５２ｄ，５２ｅ，５１ｄ，５１ｅに対応する位置に、突起５２ｄ，５２ｅ，５１ｄ，５１ｅの外径よりも小さい内径の保持孔２５ｂ，２５ｃ，２４ｂ，２４ｃが形成されていて、突起５２ｄ，５２ｅ，５１ｄ，５１ｅは、これらの保持孔２５ｂ，２５ｃ，２４ｂ，２４ｃにきつく挿入されて、前述したＯリング２６（図５参照）と同様の作用により、端面キャップ５２，５１は外駒２２，２１に対して着脱可能に保持される。
【００７５】
図７は、２つの保持部材片２７Ａ，２７Ｂに分割される保持部材２７を有する外駒２２に端面キャップ５２を保持させる構成を示す分解斜視図である。
【００７６】
図７に示した外駒２２は、空洞の内部空間２２ｅに、保持部材２７が嵌め込まれたものである。保持部材２７は、図示の上下方向に２つに分割される、シリコーン等の弾性材料で形成された保持部材片２７Ａと保持部材片２７Ｂとで構成されている。２つの保持部材片２７Ａ，２７Ｂは図示の矢印方向に密着させることで、端面キャップ５２の突起５２ｄが挿入される保持孔２７ａと突起５２ｅが挿入される保持孔２７ｂが形成される。
【００７７】
端面キャップ５２は、突起５２ｄ，５２ｅの先端に、突起５２ｄ，５２ｅの外径よりも太い太径部５２ｆ，５２ｇが形成されている。
【００７８】
保持孔２７ａの奥側には、保持孔２７ａよりも内径の大きい大径孔２７ｃが形成され、保持孔２７ｂの奥側には、保持孔２７ｂよりも内径の大きい大径孔２７ｄが形成されている。保持孔２７ａ，２７ｂの内径は、突起５２ｄ，５２ｅの外径より大きいが、太径部５２ｆ，５２ｇよりも小さい。大径孔２７ｃ，２７ｄの内径は、太径部５２ｆ，５２ｇの外径と同じ寸法か又は太径部５２ｆ，５２ｇの外径よりも僅かに小さい。
【００７９】
保持部材２７の内部空間２２ｅに嵌め込まれて、一体の外駒２２として形成される。そして、保持孔２７ａ，２７ｂに突起５２ｄ，５２ｅが挿入され、太径部５２ｆ，５２ｇが大径孔２７ｃ，２７ｄに配置された状態で、端面キャップ５２は外駒２２に密着し、外駒２２に保持される。
【００８０】
この例では、保持部材２７がＯリング２６（図５参照）や保持部材２５，２４（図６参照）と同様の作用により、端面キャップ５２は外駒２２に対して着脱可能に保持される。
【００８１】
なお、上述した実施形態の連結バンド１００は、駒体１０が、２つの外駒２１，２２をブリッジ部２３により、Ｈ字状に一体に形成された外駒２０を有するものであるが、本発明に係る連結バンドは、２つの外駒がブリッジ部によりＨ字状に一体に形成されたものに限定されず、２つの外駒が別体に形成されたものであってもよい。
【００８２】
上述した実施形態の連結バンド１００は、本発明に係る連結バンドを腕時計の連結バンドに適用した例であるが、本発明に係る連結バンドは、腕時計の連結バンドに限定されるものではなく、ブレスレット等その他装飾品の連結バンドにも適用することができる。
【符号の説明】
【００８３】
１０    駒体
２１，２２    外駒
２１ｂ，２１ｃ，２２ｂ，２２ｃ，３０ｂ，３０ｃ    連結孔
２３    ブリッジ部
３０    中駒
４０    連結ピン
５１，５２    端面キャップ
５１ａ，５２ａ  覆い板（覆い部の一例）
５１ｄ，５１ｅ，５２ｄ，５２ｅ  突起
１００  連結バンド
Ｌ      長さ方向
Ｗ      幅方向
【図１】
2020120787.tif 000003
【図２】
2020120787.tif 000004
【図３】
2020120787.tif 000005
【図４】
2020120787.tif 000006
【図５】
2020120787.tif 000007
【図６】
2020120787.tif 000008
【図７】
2020120787.tif 000009